(57)【要約】  ガラス板構成体は、第１のガラス板と、第１のガラス板に対向して配置される第２の板と、第１のガラス板および第２の板の間に液体を封止して形成される液体層と、を備え、平面視においてそれぞれ独立した複数の振動領域を有する。ガラス板構成体は、ガラス板構成体の片面または両面に設置された少なくとも１つの振動子を含む振動板である。各振動領域で独立した振動が可能となり、ステレオ、多次元的な再生が可能となると共に、映像に合わせた局所的な再生が可能となる。また、振動子を含む振動板であるため、音の再生に優れている。
2019070006.tif 000002
【特許請求の範囲】
【請求項１】
第１のガラス板と、
前記第１のガラス板に対向して配置される第２の板と、
前記第１のガラス板および前記第２の板の間に液体を封止して形成される液体層と、を備えるガラス板構成体であって、
平面視においてそれぞれ独立した複数の振動領域を有する、
ガラス板構成体。
【請求項２】
前記複数の振動領域の面積がそれぞれ等しい、請求項１に記載のガラス板構成体。
【請求項３】
前記振動領域における前記液体層の液体は、当該振動領域の縁部に形成され、他の前記振動領域との境界を画定する仕切部によって密封されている請求項１または２に記載のガラス板構成体。
【請求項４】
少なくとも二つの隣接した前記振動領域における前記液体層の液体は、当該二つの振動領域の境界を画定する仕切部において互いに流動可能な状態で接している請求項１または２に記載のガラス板構成体。
【請求項５】
前記第１のガラス板および前記第２の板は、シール材を介して互いに固定されており、
前記仕切部は前記シール材と同じ材料より構成される、請求項３または４に記載のガラス板構成体。
【請求項６】
前記第１のガラス板および前記第２の板は、シール材を介して互いに固定されており、
前記仕切部は前記シール材より接着強度の低い材料より構成される、請求項３または４に記載のガラス板構成体。
【請求項７】
少なくとも二つの前記振動領域における前記液体層の液体は、互いに異なる成分を有する、請求項１から６のいずれか１項に記載のガラス板構成体。
【請求項８】
請求項１から７のいずれか１項に記載のガラス板構成体および、前記ガラス板構成体の片面または両面に設置された少なくとも１つの振動子を含む振動板。
【発明の詳細な説明】
【技術分野】
【０００１】
本発明は、ガラス板構成体及び振動板に関する。
【背景技術】
【０００２】
一般的に、スピーカーまたはマイクロフォン用の振動板としてコーン紙や樹脂が用いられている。これらの材料は損失係数が大きく、共振による振動が生じにくいことから、可聴域における音の再現性能が良いと考えられている。
しかし、これらは何れも材料における音速値が低いため、高周波で励振した際に、音波周波数に材料の振動が追従しにくく、分割振動が発生しやすい。そのため特に高周波数領域において所望の音圧が出にくい。【０００３】
近年、特にハイレゾ(ハイレゾリューション)音源等で再生が求められる帯域は２０ｋＨｚ以上の高周波数領域であり、ヒトの耳では聞こえにくい帯域とされるものの、臨場感が強く感じられるなど、より感情に迫るものがあることから、該帯域の音波振動を忠実に再現できることが望ましい。【０００４】
そこで、コーン紙や樹脂に代えて、金属、セラミックス、ガラス等の、材料に伝播する音速が速い素材を用いることが考えられる。
【先行技術文献】
【特許文献】
【０００５】
【特許文献１】日本国特開平５−２２７５９０号公報
【非特許文献】
【０００６】
【非特許文献１】Ｏｌｉｖｉｅｒ  Ｍａｌ  ｅｔ．  ａｌ．，“Ａ  Ｎｏｖｅｌ  Ｇｌａｓｓ  Ｌａｍｉｎａｔｅｄ  Ｓｔｒｕｃｔｕｒｅ  ｆｏｒ  Ｆｌａｔ  Ｐａｎｅｌ  Ｌｏｕｄｓｐｅａｋｅｒｓ”ＡＥＳ  Ｃｏｎｖｅｎｔｉｏｎ  １２４，７３４３．
【発明の概要】
【発明が解決しようとする課題】
【０００７】
スピーカー用の振動板として、１枚のガラスを用いたものや（特許文献１）、２枚のガラス板の間にブチラール系樹脂層を有する合わせガラスが知られている（非特許文献１）。【０００８】
上記のような平面形状のスピーカーを振動させる場合、板に振動子を接着し、振動を付与するが、２チャンネルのステレオ再生、さらに多くのチャンネルを持つ多次元再生を行うことは困難である。また、単一の板に二つ以上の振動子を配置してステレオ再生や多次元再生を行わせることを試みても、単一の板内で異なる振動モードが互いに干渉する場合がある。【０００９】
そこで本発明では、優れたステレオ再生や多次元再生等を行い得るガラス板構成体及び振動板を提供することを目的とする。
【課題を解決するための手段】
【００１０】
本発明のガラス板構成体は、第１のガラス板と、前記第１のガラス板に対向して配置される第２の板と、前記第１のガラス板および前記第２の板の間に液体を封止して形成される液体層と、を備えるガラス板構成体であって、平面視においてそれぞれ独立した複数の振動領域を有する。【００１１】
本発明の振動板は前記ガラス板構成体および、前記ガラス板構成体の片面または両面に設置された少なくとも１つの振動子を含む。
【発明の効果】
【００１２】
本発明のガラス板構成体によれば、各振動領域で独立した振動が可能となり、ステレオ、多次元的な再生が可能となると共に、映像に合わせた局所的な再生が可能となる。また、振動子を含む振動板であるため、音の再生に優れている。
【図面の簡単な説明】
【００１３】
【図１】本発明に係るガラス板構成体の一例を示す断面図であって、（ａ）は第１の実施形態、（ｂ）は第２の実施形態を示す。
【図２】本発明に係るガラス板構成体の振動領域を示す平面図であって、（ａ）は実施例１、（ｂ）は実施例２、（ｃ）は実施例３、（ｄ）は実施例４を示す。
【図３】本発明に係るガラス板構成体の振動領域を示す平面図であって、（ａ）は実施例５、（ｂ）は実施例６、（ｃ）は実施例７、（ｄ）は実施例８を示す。
【図４】本発明に係るガラス板構成体の振動領域を示す平面図であって、（ａ）は実施例９、（ｂ）は実施例１０、（ｃ）は実施例１１、（ｄ）は実施例１２を示す。
【図５】本発明に係るガラス板構成体の振動領域を示す平面図であって、（ａ）は実施例１３、（ｂ）は実施例１４を示す。
【図６】本発明に係るガラス板構成体の振動領域の実施例１５示す平面図。
【図７】本発明に係るガラス板構成体の音の良好性の試験結果を示す表。
【発明を実施するための形態】
【００１４】
以下、発明を実施するための形態に基づいて、本発明の詳細およびその他の特徴について説明する。なお、以下の図面において、同一又は対応する部材又は部品には、同一又は対応する符号を付すことにより、重複する説明を省略する。また、図面は、特に指定しない限り、部材又は部品間の相対比を示すことを目的としない。よって、具体的な寸法は、以下の限定的でない実施形態に照らし、適宜選択可能である。
【００１５】
また、本明細書において数値範囲を示す「〜」とは、その前後に記載された数値を下限値および上限値として含む意味で使用される。
【００１６】
（ガラス板構成体の概要）
本発明のガラス板構成体は、第１のガラス板と、前記第１のガラス板に対向して配置される第２の板と、前記第１のガラス板および前記第２の板の間に液体を封止して形成される液体層と、を備えるガラス板構成体であって、平面視においてそれぞれ独立した、即ちそれぞれ独立して振動可能な複数の振動領域を有する。
【００１７】
振動可能な複数の振動領域を有することにより、音のステレオの再生、または多次元的再生が可能となる。また、振動領域を細かく区分することで、ガラス板構成体の局所的な音の選択が可能となり、画面と音を同時に連携させた再生が可能となる。例えば、映像における特定の人やものからの音などを、映像中の位置から局所的に表現が可能となる。特に、複数の振動領域の面積がそれぞれ等しい場合、ステレオ再生に適している。
【００１８】
液体層は、シール材により取り囲まれ、シール材は、第１のガラス板と第２の板を互いに固定するために用いられる。この構成により、シール材の内側に保持される液体層が漏れることがなく、ガラス板構成体の品質が向上する。
【００１９】
また、第１のガラス板と第２の板との端面とシール材の端面が、単一面を構成することが好ましい。これにより、両者の端面が均一になるため好ましい外観のあるガラス板構成体を提供できる。
【００２０】
第１のガラス板と第２の板のうち少なくとも１枚の板の周囲の少なくとも一部の端面が、テーパー面を有し、シール材の端面が、板のテーパー面と連続した曲面を有していても良い。この構成により、第１のガラス板または第２の板の端部における鋭利な角を除去でき、安全性が図られ、シール材と板との接触面積が増大するためシール性能を向上させることができる。
【００２１】
振動領域における液体層の液体は、当該振動領域の縁部に形成され、他の振動領域との境界を画定する仕切部によって密閉されていて良い。そして仕切部はシール材と同じ材料でもよく、シール材より接着強度の低い材料でも良い。
【００２２】
仕切部を設けることにより液体層を隙間無く仕切り、明確に振動領域を仕切ることが可能となり、振動領域ごとの振動の独立性を高めることができ、接着面積も増え、第１のガラス板と第２の板との接着強度が向上する。
【００２３】
また、仕切部は完全に隣接する液体層の液体を分離することなく、ある程度分離状態を保ちつつ、それぞれの振動領域内にある液体層が定位置にあっても良い。即ち、少なくとも二つの隣接した振動領域における液体層の液体は、当該二つの振動領域の境界を画定する仕切部において互いに流動可能な状態で接している。
【００２４】
ガラス板構成体の透過率を高めるために、液体層とシール材との屈折率を整合させることも有用である。即ち、第１のガラス板と第２の板に保持されている液体層の屈折率と、シール材（仕切部を含む）の屈折率とが近いほど、両者の境界面における反射及び干渉が防止されることから好ましく、ガラス板の視認性を妨げない。そして、液体層とシール材（仕切部を含む）との屈折率差が、０．０１５以下が好ましく、０．０１以下であることがより好ましい。
【００２５】
封止した液体層（液剤）とシール材（仕切部を含む）が異なる物質で、両者の屈折率に差があり、これがガラス板構成体の一例であるディスプレイの視認領域（の全面）に設けられると、背面から透過した光により、両者の境界が見えてしまい、視認性が阻害される。
【００２６】
そこで本発明のガラス板構成体は、両者の屈折率の差を所定値以下に抑えることにより、両者の境界面の視認を困難にすることができる。また、ガラス板構成体の視認領域（の全面）に設けても、視認性を妨げることはない。そして、境界を隠すための縁を設ける必要がなくなり、縁なしガラス板構成体を実現しやすくなり、音響特性のみならずデザインの向上、デザインの自由度の向上、コストの削減が可能となる。
【００２７】
また、ガラス板構成体の直線透過率が高いと、透光性の部材としての適用が可能となる。そのため、ガラス板構成体は、日本工業規格（ＪＩＳ  Ｒ３１０６−１９９８）に準拠して求められた可視光透過率が６０％以上であることが好ましく、６５％以上がより好ましく、７０％以上がさらに好ましい。なお、透光性の部材としては、例えば透明スピーカー、透明マイクロフォン、建築、車両用の開口部材等の用途が挙げられる。
【００２８】
本発明に係るガラス板構成体は、２５℃における損失係数が１×１０−２以上であり、かつ、少なくとも１枚のガラス板の板厚方向の縦波音速値が４．０×１０３ｍ／ｓ以上であることが好ましい。なお、損失係数が大きいとは振動減衰能が大きいことを意味する。
【００２９】
損失係数とは、半値幅法により算出したものを用いる。材料の共振周波数ｆ、振幅ｈであるピーク値から−３ｄＢ下がった点（すなわち、最大振幅−３［ｄＢ］における点）の周波数幅をＷとしたときに、｛Ｗ／ｆ｝で表される値を損失係数と定義する。
共振を抑えるには、損失係数を大きくすればよく、すなわち、振幅ｈに対し相対的に周波数幅Ｗは大きくなり、ピークがブロードとなることを意味する。
【００３０】
損失係数は材料等の固有の値であり、例えばガラス板単体の場合には、その組成や相対密度等によって異なる。なお、損失係数は共振法などの動的弾性率試験法により測定することができる。
【００３１】
縦波音速値とは、物件中を縦波が伝搬する速度をいう。縦波音速値は、日本工業規格（ＪＩＳ−Ｒ１６０２−１９９５）に記載された超音波パルス法により測定することができる。
【００３２】
（液体層）
本発明に係るガラス板構成体は、少なくとも２枚（少なくとも一対）の板の間に液体からなる層（液体層）を設けることで、高い損失係数を実現することができる。中でも、液体層の粘性や表面張力を好適な範囲にすることで、より損失係数を高くすることができる。これは、一対の板を、粘着層を介して設ける場合とは異なり、一対の板が固着せず、各々の板としての振動特性を持ち続けることに起因するものと考えられる。尚、説明を簡略化するため、第１のガラス板と第２の板をそれぞれ「板」と称している。
【００３３】
液体層は、２５℃における粘性係数が１×１０−４〜１×１０３Ｐａ・ｓであり、かつ、２５℃における表面張力が１５〜８０ｍＮ／ｍであることが好ましい。粘性が低すぎると振動を伝達しにくくなり、高すぎると液体層の両側に位置する一対の板同士が固着して１枚の板としての振動挙動を示すようになることから、共振による振動が減衰されにくくなる。また、表面張力が低すぎると板間の密着力が低下し、振動を伝達しにくくなる。表面張力が高すぎると、液体層の両側に位置する一対の板同士が固着しやすくなり、１枚の板としての振動挙動を示すようになることから、共振による振動が減衰されにくくなる。
【００３４】
液体層の２５℃における粘性係数は１×１０−３Ｐａ・ｓ以上がより好ましく、１×１０−２Ｐａ・ｓ以上がさらに好ましい。また、１×１０２Ｐａ・ｓ以下がより好ましく、１×１０Ｐａ・ｓ以下がさらに好ましい。
液体層の２５℃における表面張力は１７ｍＮ／ｍ以上がより好ましく、３０ｍＮ／ｍ以上がさらに好ましい。
【００３５】
液体層の粘性係数は回転粘度計などにより測定することができる。液体層の表面張力はリング法などにより測定することができる。
【００３６】
液体層は、蒸気圧が高すぎると液体層が蒸発してガラス板構成体としての機能を果たさなくなるおそれがある。そのため、液体層は、２５℃、１ａｔｍにおける蒸気圧が１×１０４Ｐａ以下が好ましく、５×１０３Ｐａ以下がより好ましく、１×１０３Ｐａ以下がさらに好ましい。
【００３７】
液体層の厚みは薄いほど、ガラス構成体の剛性を高く維持できる点および振動伝達の点から好ましい。具体的には、２枚の板の合計の厚みが１ｍｍ以下の場合は、液体層の厚みは、２枚の板の合計の厚みの１／１０以下が好ましく、１／２０以下がより好ましく、１／３０以下がさらに好ましく、１／５０以下がよりさらに好ましく、１／７０以下がことさらに好ましく、１／１００以下が特に好ましい。
【００３８】
また、２枚の板の合計の厚みが１ｍｍ超の場合は、液体層の厚みは、１００μｍ以下が好ましく、５０μｍ以下がより好ましく、３０μｍ以下がさらに好ましく、２０μｍ以下がよりさらに好ましく、１５μｍ以下がことさらに好ましく、１０μｍ以下が特に好ましい。
液体層の厚みの下限は、生産性および耐久性の点から０．０１μｍ以上が好ましい。
【００３９】
液体層は化学的に安定であり、液体層と液体層の両側に位置する２枚の板とが、反応しないことが好ましい。化学的に安定とは、例えば光照射により変質（劣化）が少ないものであり、少なくとも−２０〜７０℃の温度領域で凝固、気化、分解、変色、板との化学反応等が生じないものを意味する。
【００４０】
液体層の成分としては、具体的には、水、オイル、有機溶剤、液状ポリマー、イオン性液体およびそれらの混合物等が挙げられる。
【００４１】
より具体的には、プロピレングリコール、ジプロピレングリコール、トリプロピレングリコール、ストレートシリコーンオイル（ジメチルシリコーンオイル、メチルフェニルシリコーンオイル、メチルハイドロジェンシリコーンオイル）、変性シリコーンオイル、アクリル酸系ポリマー、液状ポリブタジエン、グリセリンペースト、フッ素系溶剤、フッ素系樹脂、アセトン、エタノール、キシレン、トルエン、水、鉱物油、およびそれらの混合物、等が挙げられる。中でも、ジメチルシリコーンオイル、メチルフェニルシリコーンオイル、メチルハイドロジェンシリコーンオイルおよび変性シリコーンオイルからなる群より選ばれる少なくとも１種を含むことが好ましく、プロピレングリコールまたはシリコーンオイルを主成分とすることがより好ましい。
【００４２】
また、液体スペース層は振動領域によって異なる成分であっても良い。振動領域ごとに上述の成分の中から異なる成分を選択することができる。
【００４３】
上記の他に、粉体を分散させたスラリーを液体層として使用することもできる。損失係数の向上といった観点からは、液体層は均一な流体であることが好ましいが、ガラス板構成体に着色や蛍光等といった意匠性や機能性を付与する場合には、該スラリーは有効である。
液体層における粉体の含有量は０〜１０体積％が好ましく、０〜５体積％がより好ましい。
粉体の粒径は沈降を防ぐ観点から１０ｎｍ〜１０μｍが好ましく、０．５μｍ以下がより好ましい。
【００４４】
また、意匠性・機能性付与の観点から、液体層は蛍光材料を含んでもいてもよい。例えば、蛍光材料を粉体として分散させたスラリー状の液体層でも、蛍光材料を液体として混合させた均一な液体層でもよい。これにより、ガラス板構成体に光の吸収および発光といった光学的機能を付与することができる。
【００４５】
（シール材及び仕切部）
シール材が、一方の板の端面と、液体層の端面と、他方の板の主面に密着している。一方の板の端面および液体層の端面が、他方の板の主面に対して垂直な場合、シール材は、断面視においてＬ字状に延びた輪郭を有する。このような構成により、ガラス板構成体の強度が向上する。
【００４６】
また、シール材がテーパー面を有することが好ましい。これにより、板の端面を加工したのと同じ効果を得ることができる。
【００４７】
シール材は、第１のガラス板と第２の板のそれぞれの端面に設けられるが、仕切部は、シール材に囲まれた領域内に複数の振動領域を形成するために適宜設けられる。
【００４８】
シール材及び仕切部は、ポリ酢酸ビニル系、ポリ塩化ビニル系、ポリビニルアルコール系、エチレン共重合体系、ポリアクリル酸エステル系、シアノアクリレート系、飽和ポリエステル系、ポリアミド系、線状ポリイミド系、メラミン樹脂、尿素樹脂、フェノール樹脂、エポキシ系、ポリウレタン系、不飽和ポリエステル系、反応性アクリル系、ゴム系、シリコーン系、変性シリコーン系からなる群より選ばれる少なくとも１種を含むことが好ましい。シール材と仕切部が同じ材料でも、異なっていても良く、仕切部はシール材より接着強度の低い材料から選択しても良い。
【００４９】
（第１のガラス板および第２の板）
本発明に係るガラス板構成体においては、液体層を両側から挟むように、少なくとも２枚（少なくとも一対）の板が設けられる。そして、２枚の板のうち少なくとも１枚の板がガラス板である。このような構成において、何れかの板が共振した場合に、液体層の存在により、他の板が共振しない、又は、他の板の共振の揺れを減衰することができることから、ガラス板構成体は、ガラス板単独の場合と比べて損失係数を高くすることができる。
【００５０】
一対の板を構成する２枚の板のうち、一方の板と他方の板の共振周波数のピークトップの値は異なることが好ましく、共振周波数の範囲が重なっていないものがより好ましい。ただし、一方の板および他方の板の共振周波数の範囲が重複する場合や、ピークトップの値が同じであっても、液体層の存在によって、一方の板が共振しても、他方の板の振動が同期しないことで、ある程度共振が相殺される。このことから、ガラス板単独の場合に比べて高い損失係数を得ることができる。
【００５１】
すなわち、一方の板の共振周波数（ピークトップ）をＱａ、共振振幅の半値幅をｗａ、他方の板の共振周波数（ピークトップ）をＱｂ、共振振幅の半値幅をｗｂとした時に、下記式（１）の関係を満たすことが好ましい。
（ｗａ＋ｗｂ）／４＜｜Ｑａ−Ｑｂ｜・・・（１）
式（１）における左辺の値が大きくなるほど二つの板の共振周波数の差異（｜Ｑａ−Ｑｂ｜）が大きくなり、高い損失係数が得られるようになることから好ましい。
【００５２】
そのため、下記の式（２）を満たすことがより好ましく、下記の式（３）を満たすことがより好ましい。
（ｗａ＋ｗｂ）／２＜｜Ｑａ−Ｑｂ｜・・・（２）
（ｗａ＋ｗｂ）／１＜｜Ｑａ−Ｑｂ｜・・・（３）
なお、板の共振周波数（ピークトップ）および共振振幅の半値幅は、ガラス板構成体における損失係数と同様の方法で測定することができる。
【００５３】
一方の板と他方の板は、質量差が小さいほど好ましく、質量差がないことがより好ましい。板の質量差がある場合、軽い方の板の共振は重い方の板で抑制することはできるが、重い方の板の共振を軽い方の板で抑制することは困難である。すなわち、質量比に偏りがあると、慣性力の差異により、原理的に共振による振動を互いに打ち消せなくなる。
【００５４】
一方の板／他方の板で表される２枚の板の質量比は０．１〜１０（１／１０〜１０／１）が好ましく、０．５〜２（５／１０〜１０／５）がより好ましく、１．０（１０／１０、質量差０）がさらに好ましい。
【００５５】
一方の板および他方の板の厚みはいずれも薄いほど、板同士が液体層を介して密着しやすく、また、板を少ないエネルギーで振動させることができる。そのため、スピーカー等の振動板用途の場合には、板の厚みは薄いほど好ましい。具体的には２枚の板の板厚が、それぞれ１５ｍｍ以下が好ましく、１０ｍｍ以下がより好ましく、５ｍｍ以下がさらに好ましく、３ｍｍ以下がさらにより好ましく、１．５ｍｍ以下が特に好ましく、０．８ｍｍ以下が特により好ましい。一方、薄すぎると板の表面欠陥の影響が顕著になりやすく割れが生じやすくなったり、強化処理しにくくなったりすることから、０．０１ｍｍ以上が好ましく、０．０５ｍｍ以上がより好ましい。
【００５６】
また、共振現象に起因する異音の発生を抑制した建築・車両用開口部材用途においては、一方の板および他方の板の板厚はそれぞれ０．５〜１５ｍｍが好ましく、０．８〜１０ｍｍがより好ましく、１．０〜８ｍｍがさらに好ましい。
【００５７】
一方の板および他方の板の少なくともいずれか一方の板は、損失係数が大きい方が、ガラス板構成体としての振動減衰も大きくなり、振動板用途として好ましい。具体的には、板の２５℃における損失係数は１×１０−４以上が好ましく、３×１０−４以上がより好ましく、５×１０−４以上がさらに好ましい。上限は特に限定されないが、生産性や製造コストの観点から５×１０−３以下であることが好ましい。また、一方の板および他方の板の両方が、上記損失係数を有することがより好ましい。
なお、板の損失係数は、ガラス板構成体における損失係数と同様の方法で測定することができる。
【００５８】
一方の板および他方の板の少なくともいずれか一方の板は、板厚方向の縦波音速値が高い方が高周波領域の音の再現性が向上することから、振動板用途として好ましい。具体的には、板の縦波音速値が４．０×１０３ｍ／ｓ以上が好ましく、５．０×１０３ｍ／ｓ以上がより好ましく、６．０×１０３ｍ／ｓ以上がさらに好ましい。上限は特に限定されないが、板の生産性や原料コストの観点から７．０×１０３ｍ／ｓ以下が好ましい。また、一方の板および他方の板の両方が、上記音速値を満たすことがより好ましい。
なお、板の音速値は、ガラス板構成体における縦波音速値と同様の方法で測定することができる。
【００５９】
本発明に係るガラス板構成体において、第１のガラス板はガラス板により構成される。第２の板の素材は任意であり、ガラス以外の樹脂による樹脂板（有機ガラス板ともいう）など、種々のものを採用することができる。意匠性や加工性の観点からは、樹脂板またはその複合材料を用いることが好ましく、樹脂板が、アクリル系樹脂、ポリイミド樹脂、ポリカーボネート樹脂、ＰＥＴ樹脂、ＦＲＰ材料を用いることが特により好ましい。
【００６０】
少なくとも１枚の板がガラス板の場合、その組成は特に限定されないが、例えば下記範囲であることが好ましい。
ＳｉＯ２：４０〜８０質量％、Ａｌ２Ｏ３：０〜３５質量％、Ｂ２Ｏ３：０〜１５質量％、ＭｇＯ：０〜２０質量％、ＣａＯ：０〜２０質量％、ＳｒＯ：０〜２０質量％、ＢａＯ：０〜２０質量％、Ｌｉ２Ｏ：０〜２０質量％、Ｎａ２Ｏ：０〜２５質量％、Ｋ２Ｏ：０〜２０質量％、ＴｉＯ２：０〜１０質量％、かつ、ＺｒＯ２：０〜１０質量％。但し上記組成がガラス全体の９５質量％以上を占める。
【００６１】
ガラス板の組成はより好ましくは、下記範囲である。
ＳｉＯ２：５５〜７５質量％、Ａｌ２Ｏ３：０〜２５質量％、Ｂ２Ｏ３：０〜１２質量％、ＭｇＯ：０〜２０質量％、ＣａＯ：０〜２０質量％、ＳｒＯ：０〜２０質量％、ＢａＯ：０〜２０質量％、Ｌｉ２Ｏ：０〜２０質量％、Ｎａ２Ｏ：０〜２５質量％、Ｋ２Ｏ：０〜１５質量％、ＴｉＯ２：０〜５質量％、かつ、ＺｒＯ２：０〜５質量％。但し上記組成がガラス全体の９５質量％以上を占める。
【００６２】
ガラス板のヤング率を密度で除した値である比弾性率は、大きいほど、ガラス板の剛性を高くすることができる。具体的にはガラス板の比弾性率が２．５×１０７ｍ２／ｓ２以上が好ましく、２．８×１０７ｍ２／ｓ２以上がより好ましく、３．０×１０７ｍ２／ｓ２以上がさらにより好ましい。上限は特に限定されないが、ガラス製造時の成形性の観点から４．０×１０７ｍ２／ｓ２以下であることが好ましい。ヤング率は、日本工業規格（ＪＩＳ−Ｒ１６０２−１９９５）に記載された超音波パルス法により測定することができる。
【００６３】
ガラス板の比重はいずれも小さいほど、少ないエネルギーでガラス板を振動させることができる。具体的にガラス板の比重は、２．８以下が好ましく、２．６以下がより好ましく、２．５以下がさらにより好ましい。下限は特に限定されないが、２．２以上であることが好ましい。
【００６４】
（ガラス板構成体）
ガラス板構成体を構成する板の少なくとも１枚および液体層の少なくともいずれか一方に着色することも可能である。これは、ガラス板構成体に意匠性を持たせたい場合や、ＩＲカット、ＵＶカット、プライバシーガラス等の機能性を持たせたい場合に有用である。
【００６５】
ガラス板構成体を構成する板のうち、ガラス板は少なくとも１枚であればよいが、２枚以上のガラス板を用いてもよい。この場合、すべて異なる組成のガラス板を用いてもよく、すべて同じ組成のガラス板を用いてもよく、同じ組成のガラス板と異なる組成のガラス板とを組み合わせて用いてもよい。中でも、異なる組成からなる２種類以上のガラス板を用いることが振動減衰性の点から好ましく用いられる。
ガラス板の質量や厚みについても同様に、すべて異なっても、すべて同一でも、一部が異なっていてもよい。中でも、構成するガラス板の質量が全て同一であることが振動減衰性の点から好ましく用いられる。
【００６６】
ガラス板構成体を構成するガラス板の少なくとも１枚に、物理強化ガラス板や化学強化ガラス板を用いることもできる。これは、ガラス板構成体の破壊を防ぐのに有用である。ガラス板構成体の強度を高めたい場合には、ガラス板構成体の最表面に位置するガラス板を、物理強化ガラス板又は化学強化ガラス板とすることが好ましく、構成するガラス板の全てが物理強化ガラス板又は化学強化ガラス板であることがより好ましい。
【００６７】
また、ガラス板として、結晶化ガラスや分相ガラスを用いることも、縦波音速値や強度を高める点から有用である。特に、ガラス板構成体の強度を高めたい場合には、ガラス板構成体の最表面に位置するガラス板を結晶化ガラス又は分相ガラスとすることが好ましい。
【００６８】
ガラス板構成体の少なくとも一方の最表面に本発明の効果を損なわない範囲でコーティングやフィルムを形成してもよい。コーティングの施工やフィルムの貼付は例えば傷付き防止等に好適である。
【００６９】
コーティングやフィルムの厚みは、表層のガラス板の板厚の１／５以下であることが好ましい。コーティングやフィルムには従来公知の物を用いることができる。コーティングとしては例えば撥水コーティング、親水コーティング、滑水コーティング、撥油コーティング、光反射防止コーティング、遮熱コーティング、高反射コーティング等が挙げられる。また、フィルムとしては例えばガラス飛散防止フィルム、カラーフィルム、ＵＶカットフィルム、ＩＲカットフィルム、遮熱フィルム、電磁波シールドフィルム、プロジェクター用スクリーンフィルム等が挙げられる。
【００７０】
ガラス板構成体の形状は、用途によって適宜設計することができ、平面板状であっても曲面形状でもよい。また、正面視において、四角形状、三角形状、円形状、多角形状などでもよい。
【００７１】
低周波数帯域の出力音圧レベルを上げるため、ガラス板構成体にエンクロージャーまたはバッフル板を付与した構造とすることも出来る。エンクロージャーまたはバッフル板の材質は特に限定されないが、本発明のガラス板構成体を用いることが好ましい。
【００７２】
ガラス板構成体の少なくとも一方の最表面に本発明の効果を損なわない範囲で、フレーム（枠）を設けてもよい。フレームは、ガラス板構成体の剛性を向上させたい場合、あるいは曲面形状を保持したい場合等に有用である。フレームの材質としては従来公知の物を用いることができるが、例えばＡｌ２Ｏ３、ＳｉＣ、Ｓｉ３Ｎ４、ＡｌＮ、ムライト、ジルコニア、イットリア、ＹＡＧ等のセラミックスおよび単結晶材料、鋼、アルミニウム、チタン、マグネシウム、炭化タングステン等の金属および合金材料、ＦＲＰ等の複合材料、アクリル、ポリカーボネート等の樹脂材料、ガラス材料、木材等を用いることが出来る。
用いるフレームの重量は、ガラス板の重量の２０％以下であることが好ましく、１０％以下であることがより好ましい。
【００７３】
ガラス板構成体とフレームとの間にはシール部材を有することもできる。さらに、ガラス板構成体の外周端部の少なくとも一部を、ガラス板構成体の振動を妨げないシール部材でシールしてもよい。シール部材としては、伸縮性の高いゴム、樹脂、ゲル等を用いることが出来る。
【００７４】
シール部材用の樹脂に関しては、アクリル系、シアノアクリレート系、エポキシ系、シリコーン系、ウレタン系、フェノール系等を用いることができる。硬化方法としては一液型、二液混合型、加熱硬化、紫外線硬化、可視光硬化等が挙げられる。
熱可塑性樹脂（ホットメルトボンド）を用いることも出来る。例として、エチレン酢酸ビニル系、ポリオレフィン系、ポリアミド系、合成ゴム系、アクリル系、ポリウレタン系が挙げられる。
【００７５】
ゴムに関しては、例えば天然ゴム、合成天然ゴム、ブタジエンゴム、スチレン・ブタジエンゴム、ブチルゴム、ニトリルゴム、エチレン・プロピレンゴム、クロロプレンゴム、アクリルゴム、クロロスルホン化ポリエチレンゴム（ハイパロン）、ウレタンゴム、シリコーンゴム、フッ素ゴム、エチレン・酢酸ビニルゴム、エピクロルヒドリンゴム、多硫化ゴム（チオコール）、水素化ニトリルゴムを用いることが出来る。
シール部材の厚さｔは、薄すぎると十分な強度が確保されず、厚すぎると振動の支障となる。ゆえにシール部材の厚さは１０μｍ以上かつガラス板構成体の合計厚みの５倍以下であることが好ましく、５０μｍ以上かつガラス板構成体の合計厚みより薄いことがより好ましい。
【００７６】
ガラス板構成体の板と液体層との界面における剥離防止等のために、向かい合う板の面の少なくとも一部に本発明の効果を損なわない範囲で上記のシール部材を塗布することができる。この場合、シール部材塗布部の面積は振動の支障とならないように液体層の面積の２０％以下であることが好ましく、１０％以下であることがより好ましく、５％以下であることが特に好ましい。
【００７７】
また、シール性能を向上するために、板のエッジ部分を適切な形状に加工することも出来る。例えば少なくとも一方の板の端部をＣ面取り（板の断面形状が台形形状）またはＲ面取り（板の断面形状が略円弧状）することにより、シール部材と板の接触面積を増大させ、シール部材と板の接着強度を向上させることが出来る。
【００７８】
（振動板）
本発明の振動板は、ガラス板構成体および、第１のガラス板または第２の板に設けられた振動子を含むことが好ましい。
【００７９】
振動板としては、例えば、ガラス板構成体の片面または両面に１個以上の振動素子や振動検出素子（振動子）を設置することにより、スピーカー、マイクロフォン、イヤフォン、モバイル機器等の筺体振動体や筺体スピーカーとして機能させることができる。出力音圧レベルを向上させるためには、２個以上の振動素子をガラス板構成体の両面に設置することが望ましい。
【００８０】
一般に振動板に対する振動子の位置はガラス構成体の中央部であることが望ましいが、本材料は高音速かつ高減衰性能を有するため、振動子をガラス板構成体の端部に設置してもよい。本発明に係る振動板を用いることにより、従来再現が難しかった高周波領域の音の再生が容易に可能となる。また、ガラス板構成体の大きさ、形状、色調等における自由度が高く、意匠性を施すことが可能であることから、デザイン性にも優れた振動板を得ることができる。また、ガラス板構成体表面または近傍に設置した集音用マイクロフォンまたは振動検出器で音声または振動をサンプリングし、これと同位相あるいは逆位相の振動をガラス板構成体に発生させることによりサンプリングした音声または振動を増幅したり打ち消したりすることができる。
【００８１】
このとき、上記のサンプリング点における音声または振動の特性が、ガラス板構成体に伝搬するまでの間に、或る音響伝達関数に基づいて変化する場合、および、ガラス板構成体に音響変換伝達関数が存在する場合には、制御フィルタを用いて制御信号の振幅と位相を補正することにより、振動を精度よく増幅したりキャンセルしたりすることが可能となる。上記のような制御フィルタを構成する際、例えば最小二乗法（ＬＭＳ）アルゴリズムを用いることが出来る。
【００８２】
より具体的な構成として、例えば、複層ガラスの全部または少なくとも１枚のガラス板を本発明のガラス板構成体とする。そして、制御対象の音波振動が流入する側の板の振動レベルまたはガラス間に存在する空間の音圧レベルをサンプリングし、このサンプリングを、制御フィルタにより適切に信号補正した上で音波振動が流出する側に設置されたガラス板構成体上の振動素子に出力する構造とすることが出来る。
【００８３】
本振動板の用途としては、例えば電子機器用部材として、フルレンジスピーカー、１５Ｈｚ〜２００Ｈｚ帯の低音再生用スピーカー、１０ｋＨｚ〜１００ｋＨｚ帯の高音再生スピーカー、振動板の面積が０．２ｍ２以上の大型スピーカー、振動板の面積が３ｃｍ２以下の小型スピーカー、平面型スピーカー、円筒型スピーカー、透明スピーカー、スピーカーとして機能するモバイル機器用カバーガラス、ＴＶディスプレイ用カバーガラス、映像信号と音声信号とが同一の面から生じるディスプレイ、ウェアラブルディスプレイ用スピーカー、電光表示器、照明器具、等に利用することが出来る。また、ヘッドフォン、イヤフォンまたはマイク用の振動板、振動センサーとして用いることが出来る。
【００８４】
車両等の輸送機械の内装用振動部材として、車載・機載スピーカーとして用いることができる。例えばスピーカーとして機能するサイドミラー、サンバイザー、インパネ、ダッシュボード、天井、ドア、その他内装パネルとすることが出来る。これらをマイクロフォンおよびアクティブノイズコントロール用振動板として機能させることもできる。
【００８５】
その他の用途として、超音波発生装置用振動板、超音波モーター用スライダ、低周波発生装置、液中に音波振動を伝搬させる振動子、およびそれを用いた水槽並びに容器、振動素子、振動検出素子、振動減衰装置用のアクチュエータ用材料として用いることができる。
【００８６】
（ガラス板構成体の実施形態）
図１は、本発明のガラス板構成体１０の一例を示す断面図で、（ａ）は第１の実施形態、（ｂ）は第２の実施形態を示す。
【００８７】
ガラス板構成体１０は、第１のガラス板２０と、第１のガラス板２０に対向して配置される第２の板３０と、第１のガラス板２０および第２の板３０の間に液体を封止して形成される液体層４０と、液体層４０の液漏れを防止し第１のガラス板２０と第２の板３０を接合するシール材５０と、液体層４０を仕切る仕切部６０と、仕切部６０で仕切られ平面視においてそれぞれ独立して振動可能な複数の振動領域７０とを備える。
【００８８】
複数の振動領域７０に分けることにより、各振動領域７０で独立した振動が可能となり、ステレオ、多次元的な音の再生が可能となるとともに、映像に合わせた局所的な再生が可能となる。例えば、映像における特定の人やモノから音などを、映像中の位置から局所的に表現が可能となる。
【００８９】
また、複数の振動領域７０の面積がそれぞれ等しいことが好ましい。面積が等しければ、ステレオなどの左右や上下の音源を均一にすることができ、良質な音を再生できる。また、複数の振動領域７０が異なる面積であっても良い。特定の音源や、映像に合わせた独自の音を再生できる。
【００９０】
第１のガラス板２０は、二つの対向する主面（第２の板３０側を主面２１とする）と、端部２２における端面とを有し、第２の板３０も同様に、二つの対向する主面（第１のガラス板側の主面３１とする）と、端部３２における端面とを有する。液体層４０とシール材５０および仕切部６０は、第１のガラス板２０と第２の板３０との間に配置され、シール材５０は液体層４０を取り囲むように各端部２２，３２の端面側に配置されている。即ち、シール材５０は、端部２２、３２の端面から主面２１、３１の中心部に向かう部分である、第１のガラス板２０、第２の板３０の周囲に設けられる。また、「主面」は、視認のための光が出射する面を意味する。
【００９１】
仕切部６０は、シール材５０で画定された空間内に配置され、第１のガラス板２０の主面２１と第２の板３０の主面３１の両方に接合している状態（第１の実施形態）か、一方の主面（２１または３１）に接合し、他方の主面（３１または２１）とはやや離間した状態（第２の実施形態）にある。尚、断面的（部分的に）に第１のガラス板２０と第２の板３０との間の空間に配置されていても良い。また、各実施形態を独立して形成しても良く、各実施形態を組み合わせして形成しても良い。
【００９２】
第１の実施形態において、振動領域７０における液体層４０は、当該振動領域７０の縁部に形成され、他の振動領域７０との境界を画定する仕切部６０によって密封されている。
【００９３】
仕切部６０が完全に液体層４０を隙間なく仕切ることで、明確に振動領域７０を仕切ることが可能となり、振動領域７０ごとの振動の独立性を高めることができる。また、接着部分の面積も増えるため、第１のガラス板２０と第２の板３０との接着強度が向上する。
【００９４】
シール材５０及び仕切部６０と、液体層４０となる液剤（液体）の塗布方法を説明する。
【００９５】
（シール材、仕切部、塗布）
シール材５０は、例えば縦１００ｍｍ、横１００ｍｍ、厚さ０．５ｍｍの第２の板３０の主面３１に、ディスペンサーを用いて端部３２から１ｍｍ間隔をあけ、幅０．５ｍｍで線描画される。また、複数の振動領域７０を形成するため、仕切部６０を第２の板３０の主面３１にシール材５と同様に線描画する。仕切部６０は、シール材５０と同じ材料でも良く、シール材５０より接着強度の低い材料でも良い。
【００９６】
（液剤塗布）
ディスペンサーを用いて、第２の板３０の中央部分（シール材５０に取り囲まれた部分）に液剤（オイル剤）を、例えば線幅０．５ｍｍ、線間隔４ｍｍでシール材５０の塗布線との間隔２ｍｍを保って線描画する。液剤の吐出量は、貼合後の液体層４０の層厚が３μｍになるように質量を合わせて塗布する。例えば、シール材５０の線内部の領域が縦１００ｍｍ、横１００ｍｍであるところに、厚さ３μｍで密度１ｇ／ｃｍ３の液剤を塗布する場合、塗布量合計０．０３ｇになるように吐出質量をコントロールすればよい。このとき、シール材５０と液体層４０になる液剤の線描画はどちらを先に塗布しても良い。
【００９７】
１００ｍｍ×１００ｍｍ×０．５ｍｍ寸法の第２の板３０を用意する。その第２の板３０にディスペンサー（武蔵エンジニアリング製；ＳＨＯＴＭＡＳＴＥＲ４００ＤＳ-ｓ）を用いて、液剤として２５℃における動粘度３０００（ｍｍ２／ｓ）のジメチルシリコーンオイル、およびメチルフェニルシリコーンオイルを、端部及び仕切部６０の端部から幅５ｍｍのあそびを設け、一様に塗布する。さらに第２の板３０の端部に線幅約０．５ｍｍでシール材（硬化樹脂）５０を塗布し、第２の板３０と第１のガラス板２０を貼合後、シール材５０と仕切部６０を硬化させる。
【００９８】
（貼合工程）
上述の工程を経て、シール材５０、仕切部６０および液剤を塗布し、塗布した第２の板３０と、同種同サイズの未塗布の第１のガラス板２０を減圧下で貼合する。減圧貼合の際、圧力は１５００Ｐａ以下であれば好ましく、３００Ｐａ以下であればより好ましく、さらに１００Ｐａ以下であれば好ましく、特に１０Ｐａ以下であることが望ましい。貼合後、ＵＶ照射や加熱など、使用するシール材５０の硬化形態に合わせてシール材５０を硬化させる。
【００９９】
貼合の際に、内側に塗布した液剤が伸び広がり、シール材５０と接触して内側から力がかかり、シール材５０は主に外側に広がる。シール材５０は外に広がるが、第１のガラス板２０と第２の板３０のそれぞれの端部２２，３２で表面張力がはたらき、第１のガラス板２０、第２の板３０から液剤が漏れ出ることがなく、液体層４０が形成され、複数の振動領域７０が形成される。
尚、シール材５０、仕切部６０、液体層４０の液剤を第２の板３０の主面３１に塗布することを説明したが、第１のガラス板２０の主面２１でも良い。
【０１００】
図２〜図６に基づいて、平面視において独立して振動可能な振動領域７０の実施例について説明する。仕切部６０の形状は、第１の実施形態、第２の実施形態を適宜用いることが可能である。
【０１０１】
図２は、振動領域７０を均等に分割した例である。実施例１（図２の（ａ））は平面視左右２分割、実施例２（図２の（ｂ））は上下左右４分割、実施例３（図２の（ｃ））は上下左右６分割、実施例４（図２の（ｄ））は上下左右８分割である。音源や映像に合わせて複数に振動領域７０を分割することが可能である。また、第１のガラス板２０または第２の板３０に振動子８０を設けることも可能であり、以下の実施例も同様である。
【０１０２】
図３は、多次元再生を目的として左右又は上下での分割である。実施例５（図３の（ａ））は左右２分割、実施例６は（図３の（ｂ））は左右３分割、実施例７（図３の（ｃ））は上下２分割、実施例８（図３の（ｄ））は上下３分割である。分割された振動領域７０の面積は同じでも異なっていても良い。複数のチャンネルを必要とする振動板などに好適である。
【０１０３】
図４は、局所的分割を示す一例である。実施例９（図４の（ａ））は中央領域に略角形形状で一つの振動領域７１があり、仕切部６０を境界としてその周辺にも他の振動領域７２がある。実施例１０（図４の（ｂ））も同様であるが、振動領域７１が端部２２、３２近傍にある。実施例１１（図４の（ｃ））は振動領域７１が略円形状である。実施例１２（図４の（ｄ））は中央の振動領域７１が複数ある例である。局所的に形成された振動領域７０の形状、数に限定しないが、求める音源等により選択可能である。
【０１０４】
また、振動領域７１の周囲に他の振動領域７２が形成されていることを説明したが、振動領域７０はスポット的でも良く、振動領域７１の周囲は固体材料や空白な領域（非振動領域）であっても良い。そして、周辺で振動領域７２が形成され、中央部は固体材料や空白な領域（非振動領域）であっても良い。
【０１０５】
図５は、特殊形状の例を示す。実施例１３（図５の（ａ））は、振動領域７１が平面視十字形状である。実施例１４（図５の（ｂ））は、複数の振動領域７１が直列に配列されている。これらの特殊形状は、特定の領域での音の再生、映像との組み合わせに好適である。
【０１０６】
図６は、振動領域７０と非振動領域７５との併用である。実施例１５（図６）は、複数の振動領域７０を有し、部分的に固体材料などが配置された非振動領域７５を有している。また、振動領域７０を分ける第１の実施形態の仕切部６１と第２の実施形態の仕切部６２とを採用することにより、隣接する振動領域７０の液体層４０の液体が仕切られ場合と、流動可能な状態で接する場合とに分かれる。
【０１０７】
実施例１５では、一例として、独立した振動領域７０ａと液体が流動可能な振動領域７０ｂを示している。振動領域７０ｂ同士において、液体層４０の液体は完全に混じり合わず、それぞれある程度の分離状態を保ちつつ、定位置にある。実施例１５に限らず、上述の各実施例においても、仕切部６０の実施形態は、音の再生目的に合わせて選択可能である。また、液体層４０の液体の成分を変えることにより、振動領域７０ｂ同士の液体の分離を維持させることも可能である。
【０１０８】
図７の表に基づいて、比較例と試験例との試験結果を説明する。
【０１０９】
所定の大きさ（例えば５５ｉｎｃｈ、厚さ１．１ｍｍ）のガラス板構成体１０を表の通り作成した。比較例はガラス単板（５５ｉｎｃｈ、厚さ１．１ｍｍ）、試験例１は振動領域の面積が等しくなるように仕切部６０で２分割したガラス板構成体（５５ｉｎｃｈ、厚さ１．１ｍｍの２枚のガラス板の間に液体層を有する）、試験例２は振動領域の面積が等しくなるように仕切部６０で８分割したガラス板構成体（試験例１と同じ構成）である。「ＬＲモード再生」とは、２つの振動子から互いに異なる振動を発生させる再生方法である。試験例１では、２つの振動領域の中心にそれぞれ１つの振動子を配置し、ＬＲモード再生を行った。比較例では、試験例１と同じ位置に振動子を配置し、ＬＲモード再生を行った。試験例２では、８つの振動領域のうち、左側の４つの振動領域のうちいずれか１つの振動領域の中心に振動子を１つ配置し、右側の４つの振動領域のうちいずれか１つの振動領域の中心に振動子を１つ配置し、ＬＲモード再生を行った。スイープ音及び音楽を発信してそれぞれの良好性を確認した。優れた再生が可能であるものを「◎」、良好な再生が可能であるものを「○」、良好な再生が困難なものを「×」として評価した。
【０１１０】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【０１１１】
本出願は２０１７年１０月４日出願の日本国特許出願（特願２０１７−１９４６３９）に基づくものであり、その内容はここに参照として取り込まれる。
【産業上の利用可能性】
【０１１２】
本発明のガラス板構成体は、複数の振動領域を備えるため、ステレオ再生、局所再生などを要求する分野に好適である。また、スピーカーやマイクロフォン、イヤフォン、モバイル機器等に用いられる振動板にも好適に用いることができる。
【符号の説明】
【０１１３】
１０  ガラス板構成体
２０  第１のガラス板
３０  第２の板
４０  液体層
５０  シール材
６０  仕切部
７０  振動領域
８０  振動子
【図１】
2019070006.tif 000003
【図２】
2019070006.tif 000004
【図３】
2019070006.tif 000005
【図４】
2019070006.tif 000006
【図５】
2019070006.tif 000007
【図６】
2019070006.tif 000008
【図７】
2019070006.tif 000009
【国際調査報告】
2019070006.tif 000010
2019070006.tif 000011
2019070006.tif 000012